(57)【要約】      （修正有）【課題】簡単な構成で、洗剤を使用せずに衣類等を洗濯する洗浄システムを提供する。【解決手段】洗浄システム１は、アルカリイオン水生成部１０と、アルカリイオン水生成部１０へアルカリイオン水生成媒体２１を供給するアルカリイオン水生成媒体供給部２１と、アルカリイオン水生成部１０で生成されたアルカリイオン水を貯留するアルカリイオン水貯留部３０と、洗浄対象を洗浄する洗浄槽１００とを備える。【選択図】図１
2015181765.tif 000002
【特許請求の範囲】
【請求項１】
アルカリイオン水生成部と、
前記アルカリイオン水生成部へアルカリイオン水生成媒体を供給するアルカリイオン水生成媒体供給部と、
前記アルカリイオン水生成部で生成されたアルカリイオン水を貯留するアルカリイオン水貯留部と、
洗浄対象を洗浄する洗浄槽とを
備える洗浄システム。
【請求項２】
前記アルカリイオン水貯留部から前記洗浄槽を繋ぐ配管に調整弁を備え、
前記調整弁は、前記洗浄槽へ直接給水される給水量と、前記アルカリイオン水貯留部から前記洗浄槽へ給水されるアルカリイオン水給水量の比を調整する
請求項１記載の洗浄システム。
【請求項３】
前記調整弁は、前記洗浄槽へ直接給水される給水量と、前記アルカリイオン水貯留部から前記洗浄槽へ給水されるアルカリイオン水給水量の比を５対１になるように調整する
請求項２記載の洗浄システム。
【請求項４】
前記アルカリイオン水生成媒体供給部は、タイマを有し、前記タイマに応じて自動的に、前記アルカリイオン水生成部へアルカリイオン水生成媒体を供給する
請求項１〜３のいずれか１項に記載の洗浄システム。
【請求項５】
前記アルカリイオン水生成媒体供給部は、前記アルカリイオン水貯留部のアルカリイオン水の貯留量に応じて、前記アルカリイオン水生成部へアルカリイオン水生成媒体を供給する請求項１記載の洗浄システム。
【請求項６】
前記洗浄槽を複数台含み、複数の前記洗浄槽の数よりも少ない台数のアルカリイオン水生成部を備える
請求項１〜５のいずれか１項に記載の洗浄システム。
【発明の詳細な説明】
【技術分野】
【０００１】
本発明は、衣類等を洗濯するための洗浄システムに関する。
【背景技術】
【０００２】
従来より衣類を家庭や複数の洗濯機が備えられているコインランドリーで洗濯する際には、洗剤を用いて水洗いをすることで行われている。この際、合成洗剤に使用されている界面活性剤による肌刺激やアレルギーの発症が問題になっている。また、環境や公害への影響も懸念されている。このため、特許文献１には、洗剤の使用が少量で済むように、食塩水を電気分解から生成したアルカリイオン水と酸性イオン水を用いて環境汚染及び公害問題を低減する洗濯装置が開示されている。
【先行技術文献】
【特許文献】
【０００３】
【特許文献１】特開２００３―１４４７９３号公報
【発明の概要】
【発明が解決しようとする課題】
【０００４】
しかしながら、特許文献１に記載の装置では、食塩水タンクを用意し、電気分解のためのイオン水生成器を用意する必要がある。このため食塩による周辺機器への腐食の影響やイオン水生成器の設置などの装置の複雑化と巨大化による不利益がある。
【０００５】
一方、高いアルカリ性を備えたアルカリイオン水は、洗浄能力が高く、洗剤をごく少量、もしくは、洗剤なしでも十分な洗浄力がある上、肌刺激やアレルギーの発症が問題とならず、環境汚染及び公害問題とならないことがわかっている。しかしながら、高いアルカリ性を備えたアルカリイオン水を安定して供給することは困難であった。
【０００６】
本発明は、上記課題を鑑み、簡単な構成で、洗剤を使用せずに衣類等を洗濯する洗浄システムを提供することである。
【課題を解決するための手段】
【０００７】
本発明に係る洗浄システムは、アルカリイオン水生成部と、アルカリイオン水生成部へアルカリイオン水生成媒体を供給するアルカリイオン水生成媒体供給部と、アルカリイオン水生成部で生成されたアルカリイオン水を貯留するアルカリイオン水貯留部と、洗浄対象を洗浄する洗浄槽とを備える。
【０００８】
また、好適には、アルカリイオン水貯留部から前記洗浄槽を繋ぐ配管に調整弁を備え、調整弁が、洗浄槽へ直接給水される給水量と、アルカリイオン水貯留部から前記洗浄槽へ給水されるアルカリイオン水給水量の比を調整する。
【０００９】
また、好適には、調整弁が、洗浄槽へ直接給水される給水量と、アルカリイオン水貯留部から洗浄槽へ給水されるアルカリイオン水給水量の比を５対１になるように調整する。
【００１０】
また、好適には、アルカリイオン水生成媒体供給部は、タイマを有し、タイマに応じて自動的に、アルカリイオン水生成部へアルカリイオン水生成媒体を供給する。
【００１１】
また、好適には、アルカリイオン水生成媒体供給部は、アルカリイオン水貯留部のアルカリイオン水の貯留量に応じて、アルカリイオン水生成部へアルカリイオン水生成媒体を供給する。
【００１２】
また、好適には、洗浄槽を複数台含み、複数の洗浄槽の数よりも少ない台数のアルカリイオン水生成部を備える。
【発明の効果】
【００１３】
簡単な構成で、洗剤を使用せずに、衣類等を洗濯することが可能となった。
【図面の簡単な説明】
【００１４】
【図１】本発明の第１の実施形態に係る洗浄システムを示す説明図である。
【図２】本発明の第１の実施形態に係る洗浄システムの制御ブロック図である。
【図３】本発明の第１の実施形態に係る洗浄システムの処理フロー図である。
【図４】本発明の第１の実施形態に係る洗浄システムの別の処理メインフロー図である。
【図５】本発明の第１の実施形態に係る洗浄システムの内容確認のサブルーチンのフロー図である。
【図６】本発明の第１の実施形態に係る洗浄システムの洗浄工程のサブルーチンのフロー図である。
【図７】本発明の第１の実施形態に係る洗浄システムの他の内容確認のサブルーチンのフロー図である。
【図８】本発明の第２の実施形態に係る洗浄システムを示す説明図である。
【図９】本発明の第３の実施形態に係る洗浄システムを示す説明図である。
【図１０】本発明の実施形態に係る洗浄システムのアルカリイオン水生成媒体供給部を示す説明図である。
【図１１】本発明の実施形態に係る洗浄システムのアルカリイオン水生成媒体供給部を示す説明図である。
【発明を実施するための形態】
【００１５】
＜第１の実施形態＞
図１は、本発明の第１の実施形態に係る洗浄システムを示す説明図である。
【００１６】
洗浄システム１は、アルカリイオン水生成部１０と、アルカリイオン水生成部１０へアルカリイオン水生成媒体２１を供給するアルカリイオン水生成媒体供給部２０と、アルカリイオン水生成部で生成されたアルカリイオン水を貯留するアルカリイオン水貯留部３０と、洗浄対象を洗浄する洗浄槽１００とを備える。洗浄槽１００にはドラム槽２００がある。
【００１７】
洗浄槽１００のドラム槽２００には、第１配管５０によって水が供給される。アルカリイオン水生成部１０には第２配管５１によって水が供給される。アルカリイオン水生成部１０にはアルカリイオン水生成媒体供給部２０からアルカリイオン水生成媒体２１も供給される。このためアルカリイオン水生成媒体供給部２０は、アルカリイオン水生成媒体２１を複数個備える。アルカリイオン水生成媒体２１は、水と反応し、例えばｐＨ１２．５以上のアルカリイオン水に変える。
【００１８】
アルカリイオン水生成部１０で生成されるアルカリイオン水は、時間をかけて生成される。このため、アルカリイオン水貯留部３０が、洗浄槽１００での使用に備えて、生成されたアルカリイオン水を貯留する。
【００１９】
アルカリイオン水貯留部３０から洗浄槽１００のドラム槽２００へは、第３配管５２によってアルカリイオン水が供給される。アルカリイオン水の供給は、ポンプ（図示せず）によって行われる。第３配管５２には、調整弁４０が設けられる。調整弁４０は、アルカリイオン水貯留部３０からドラム槽２００へのアルカリイオン水の量を調整する。これにより、第１配管５０からの給水量と第３配管５２からのアルカリイオン水の給水量の比を調整する。水とアルカリイオン水の量の比を調整することで、洗浄槽において、衣服などの洗浄対象に適した水素イオン濃度で洗浄することができる。
【００２０】
第１配管５０からの給水量と第３配管５２からのアルカリイオン水の給水量の比は、５対１であることが好ましい。なお、第１配管５０からの水はｐＨ７程度あり、第３配管５２からのアルカリイオン水はｐＨ１２．５程度となっている。これらの水とアルカリイオン水を５対１で洗浄槽１００に供給することで、ｐＨ１２程度のアルカリイオン水とし、洗剤なしで、衣類等を洗浄する。
【００２１】
なお、後述するように、アルカリイオン水生成媒体供給部２０は、タイマを有し、タイマに応じて自動的に、アルカリイオン水生成部１０へアルカリイオン水生成媒体２１を供給するようにしてもよい。また、アルカリイオン水生成媒体供給部２０が、アルカリイオン水貯留部３０のアルカリイオン水の貯留量に応じて、アルカリイオン水生成部１０へアルカリイオン水生成媒体２１を供給するように構成してもよい。この際には、アルカリイオン水貯留部３０にアルカリイオン水の貯留量を検知する検知手段を設け、検知した情報をアルカリイオン水生成媒体供給部２０に送るようにする。
【００２２】
アルカリイオン水生成部１０へ供給する水は、第１配管５０から分配された水であってもよい。この場合には、洗浄槽１００のドラム槽２００へ供給される水と、アルカリイオン水生成部１０へ供給される水に分配するための調整弁または分配路を設ける。
【００２３】
アルカリイオン水生成部１０及びアルカリイオン水貯留部３０を介して洗浄槽１００のドラム槽２００へ供給されるルートは、通常の洗浄システムでは洗剤をお湯と混ぜ合わせて、洗浄槽１００へ送るルートである。従って、通常の洗浄システムにおいて、アルカリイオン水生成媒体供給部２０を備えたアルカリイオン水生成部１０及びアルカリイオン水貯留部３０を取り付けることで、洗剤を使用せずに、衣類等を洗濯することができる。また、アルカリイオン水生成媒体供給部２０を備えたアルカリイオン水生成部１０及びアルカリイオン水貯留部３０を一つのユニットとして構成し、取り付けるようにしてもよい。
【００２４】
なお、アルカリイオン水生成媒体２１は、例えば、炭酸カリウムからなる固形状に成型された電解補助剤を使用することができる。炭酸カリウムを用いた場合、１２．５ｐＨのアルカリイオン水を１時間に１５リットル程度生成することが可能である。洗浄槽１００において必要とされるアルカリイオン水の量、アルカリイオン水貯留部３０に貯留されている量などに応じて、アルカリイオン水生成部１０へ供給される炭酸カリウムの量を調整する。
【００２５】
また、本実施形態では、固形状に成型されたアルカリイオン水生成媒体２１としたが、粉状のものであってもよく、生成または貯留したいアルカリイオン水の量に応じて、アルカリイオン水生成部１０へ供給される炭酸カリウムの量を調整するようにしてもよい。
【００２６】
また、本発明では、ｐＨ１０を超える強アルカリイオン水と定義する洗浄に適したアルカリイオン水で洗浄を行う。さらに本発明では、除菌作用もあるｐＨ１２を超える強アルカリイオン水で洗浄するのが好ましい。衣服等の汚れは、酸性であるため、洗浄する際の水のアルカリ性が強いほど、汚れを落とします。特にｐＨ１２以上のアルカリイオン水であれば、油汚れやタバコのヤニも分解洗浄する。
【００２７】
アルカリイオン水は、合成界面活性剤などを使用していないため、泡立つことなく、洗浄と同時にすすぐことができる。このため、大幅な節水につながり、コスト削減にもつながる。また、洗剤を使用しないため、色も臭いもなく、アルカリイオン水による除菌効果による菌の除去により、消臭効果にもつながる。
【００２８】
次に、図２〜図７に基づいて、本発明の第１の実施形態に係る洗浄システムでの処理について説明する。図２は、本発明の第１の実施形態に係る洗浄システムの制御ブロック図である。
【００２９】
洗浄システムは、調整弁４０と調整弁５０Ａと、洗濯槽１００に備えられた入力部１０１と、入力部１０１からの信号に応じて、調整弁４０と調整弁５０Ａを制御する制御部６０から構成される。
【００３０】
次に図３に基づいて、本発明の第１の実施形態に係る洗浄システムでの処理について詳細に説明する。図３は、本発明の第１の実施形態に係る洗浄システムの処理フロー図である。ここで、洗浄システムとしてコイン式洗濯機を想定している。
【００３１】
まず、利用者により、コイン式洗濯機に備えられたコイン入れにコインが投入されたが判断される（ステップＳＴ１０）。コインの投入があると、調整弁４０が開放されアルカリイオン水が洗浄槽１００へ供給される。調整弁５０Ａも開放され水道水が洗浄槽１００へ供給される。同時に、調整弁４０と調整弁５０Ａのタイマがカウントを始める（ステップＳＴ１１）。
【００３２】
タイマのカウントＴが所定の時間ｔ１より大きいか否かが判断される（ステップＳＴ１２）。タイマのカウントＴが所定の時間ｔ１より大きくなったとき（ステップＳＴ１２でＹｅｓ）、制御部６０が調整弁４０を閉じる（ステップＳＴ１３）。
【００３３】
タイマのカウントＴが所定の時間ｔ２より大きいか否かが判断される（ステップＳＴ１４）。タイマのカウントＴが所定の時間ｔ２より大きくなったとき（ステップＳＴ１４でＹｅｓ）、制御部６０が調整弁５０Ａを閉じる（ステップＳＴ１５）。
【００３４】
洗浄槽１００が回転し、洗濯物を洗浄する（ステップＳＴ１６）。
【００３５】
洗浄後、すすぎ工程により、すすぎが行われる（ステップＳＴ１７）。最後に乾燥工程により洗濯物の乾燥が行われる（ステップＳＴ１８）。以上が、コイン式洗濯機においてあらかじめ設定された水量、アルカリイオン水比率で洗浄処理が行われる場合の、詳細な処理フローである。
【００３６】
次に図４〜図７に基づいて、本発明の第１の実施形態に係る洗浄システムでの別の処理について詳細に説明する。図４は、本発明の第１の実施形態に係る洗浄システムの別の処理メインフロー図である。図５は、本発明の第１の実施形態に係る洗浄システムの内容確認のサブルーチンのフロー図である。図６は、本発明の第１の実施形態に係る洗浄システムの洗浄工程のサブルーチンのフロー図である。
【００３７】
図４に沿って、本発明の第１の実施形態に係る洗浄システムの別の処理メインフローを説明する。まず、利用者により、コイン式洗濯機に備えられたコイン入れにコインが投入されたが判断される（ステップＳＴ１０）。コインの投入があると、内容確認が行われる（ステップＳＴ１００）。内容確認が終わると洗浄工程により、洗濯物の洗浄が行われる（ステップＳＴ２００）。洗浄後、すすぎ工程により、すすぎが行われる（ステップＳＴ１７）。最後に乾燥工程により洗濯物の乾燥が行われる（ステップＳＴ１８）。
【００３８】
次に、図５に沿って、内容確認のサブルーチンのフローについて説明する。内容確認サブルーチンでは、まず、洗濯物重量が計測される（ステップＳＴ１１０）。計測された洗濯物重量に基づいて、洗濯時に必要な水量Ｍが算出される（ステップＳＴ１１１）。水量Ｍに対してのアルカリイオン水の比率Ｋが決定される（ステップＳＴ１１２）。
【００３９】
水量Ｍとアルカリイオン水の比率Ｋに応じて、調整弁４０の開放時間ｔ１と調整弁５０Ａの開放時間ｔ２が決定される（ステップＳＴ１１３）。
【００４０】
次に、図６に沿って、洗濯工程のサブルーチンのフローについて説明する。洗濯工程サブルーチンでは、調整弁４０が開放されアルカリイオン水が洗浄槽１００へ供給される。調整弁５０Ａも開放され水道水が洗浄槽１００へ供給される。同時に、調整弁４０と調整弁５０Ａのタイマがカウントを始める（ステップＳＴ２１０）。
【００４１】
タイマのカウントＴが所定の時間ｔ１より大きいか否かが判断される（ステップＳＴ２１１）。タイマのカウントＴが所定の時間ｔ１より大きくなったとき（ステップＳＴ２１１でＹｅｓ）、制御部６０が調整弁４０を閉じる（ステップＳＴ２１２）。
【００４２】
タイマのカウントＴが所定の時間ｔ２より大きいか否かが判断される（ステップＳＴ２１３）。タイマのカウントＴが所定の時間ｔ２より大きくなったとき（ステップＳＴ２１３でＹｅｓ）、制御部６０が調整弁５０Ａを閉じる（ステップＳＴ２１４）。
【００４３】
洗浄槽１００が回転し、洗濯物を洗浄する（ステップＳＴ２１５）。洗浄後は、上述したように、すすぎ工程により、すすぎが行われ（ステップＳＴ１７）、最後に乾燥工程により洗濯物の乾燥が行われる（ステップＳＴ１８）。
【００４４】
次に、図７に基づいて、本発明の第１の実施形態に係る洗浄システムの他の内容確認のサブルーチンのフローを説明する。図７は、本発明の第１の実施形態に係る洗浄システムの他の内容確認のサブルーチンのフロー図である。
【００４５】
洗濯槽１００に設けた汚れ度センサによる汚れ度（ｄ）と、菌検出センサによる菌数（ｖ）と、臭いセンサによる臭い（ｓ）および入力部１０１でのモード選択によるモードを変数とした関数ｆ（ｄ，ｖ，ｓ，モード）により数値化を行う（ステップＳＴ３０１）。
【００４６】
関数ｆ（ｄ，ｖ，ｓ，モード）の数値と所定値αを比べる（ステップＳＴ３０２）。関数ｆ（ｄ，ｖ，ｓ，モード）の数値が所定値α以上の場合（ステップＳＴ３０２でＹｅｓ）、通常よりも強力に洗浄する必要があると判断し、アルカリイオン水量が通常よりも多くなるような比率にする（ステップＳＴ３０３）。
【００４７】
関数ｆ（ｄ，ｖ，ｓ，モード）の数値が所定値αよりも小さい場合（ステップＳＴ３０２でＮｏ）、通常よりも弱めに洗浄する必要があると判断し、アルカリイオン水量が通常よりも少なくなるような比率にする（ステップＳＴ３０４）。
【００４８】
＜第２の実施形態＞
図２は、本発明の第２の実施形態に係る洗浄システムの部分の説明図である。
【００４９】
本発明の第２の実施形態に係る洗浄システム２は、４台の洗浄槽１１０，１２０，１３０，１４０を含み、洗浄槽１１０，１２０，１３０，１４０の数よりも少ない１台のアルカリイオン水生成部１０を備える。アルカリイオン水生成部１０は、アルカリイオン水生成媒体供給部２０を備える。第４配管５３は途中で、４台の洗浄槽１１０，１２０，１３０，１４０へ直接給水される配管と、調整弁４１を介してアルカリイオン水生成部１０へ給水される配管に分かれる。調整弁４１はアルカリイオン水生成部１０への給水量を調節する。
【００５０】
４台の洗浄槽１１０，１２０，１３０，１４０へ直接給水される配管は、それぞれの洗浄槽１１０，１２０，１３０，１４０への給水量を調節する調整弁１１１，１２１，１３１，１４１が設けられる。
【００５１】
アルカリイオン水生成媒体供給部２０からのアルカリイオン水生成媒体により、アルカリイオン水生成部１０で生成されたアルカリイオン水は、アルカリイオン水貯留部３０に貯留されている。アルカリイオン水貯留部３０からアルカリイオン水が各洗浄槽１１０，１２０，１３０，１４０に供給される。アルカリイオン水貯留部３０から各洗浄槽１１０，１２０，１３０，１４０の配管には、アルカリイオン水の給水量を調節する調整弁１１２，１２２，１３２，１４２が設けられる。
【００５２】
＜第３の実施形態＞
図３は、本発明の第３の実施形態に係る洗浄システムの部分の説明図である。
【００５３】
本発明の第３の実施形態に係る洗浄システム３は、４台の洗浄槽１１０，１２０，１３０，１４０を含み、洗浄槽１１０，１２０，１３０，１４０の数よりも少ない２台のアルカリイオン水生成部１１，１２を備える。アルカリイオン水生成部１１，１２は、それぞれアルカリイオン水生成媒体供給部２３，２４を備える。第５配管５４は途中で、４台の洗浄槽１１０，１２０，１３０，１４０へ直接給水される配管と、アルカリイオン水生成部１１へ給水される配管に分かれる。一方、アルカリイオン水生成部１２へは、第６配管５５から直接、水が給水される。
【００５４】
４台の洗浄槽１１０，１２０，１３０，１４０へ直接給水される配管は、それぞれの洗浄槽１１０，１２０，１３０，１４０への給水量を調節する調整弁１１１，１２１，１３１，１４１が設けられる。
【００５５】
アルカリイオン水生成媒体供給部２３からのアルカリイオン水生成媒体により、アルカリイオン水生成部１１で生成されたアルカリイオン水は、アルカリイオン水貯留部３１に貯留されている。アルカリイオン水貯留部３１からアルカリイオン水が各洗浄槽１１０，１２０に供給される。アルカリイオン水貯留部３１から各洗浄槽１１０，１２０の配管には、アルカリイオン水の給水量を調節する調整弁１１２，１２２が設けられる。
【００５６】
アルカリイオン水生成媒体供給部２４からのアルカリイオン水生成媒体により、アルカリイオン水生成部１２で生成されたアルカリイオン水は、アルカリイオン水貯留部３２に貯留されている。アルカリイオン水貯留部３２からアルカリイオン水が各洗浄槽１３０，１４０に供給される。アルカリイオン水貯留部３２から各洗浄槽１３０，１４０の配管には、アルカリイオン水の給水量を調節する調整弁１３２，１４２が設けられる。
【００５７】
上記のように、２台の洗浄槽に対して１台のアルカリイオン水生成媒体供給部とアルカリイオン水生成部とアルカリイオン水貯留部を備えることで、十分な量のアルカリイオン水を洗浄槽に供給することができる。特に、アルカリイオン水生成部でのアルカリイオン水の生成に時間がかかる場合や、洗浄槽で必要なアルカリイオン水が多い場合などに、効率的にアルカリイオン水を供給することができる。
【００５８】
図４および図５は、本発明の実施形態に係る洗浄システムのアルカリイオン水生成媒体供給部を示す説明図である。アルカリイオン水生成媒体供給部２０は、タイマ２０Ｔを備えている。アルカリイオン水生成媒体供給部２０は、その上部からアルカリイオン水生成媒体２１Ａ，２１Ｂ，２１Ｃ，２１Ｄが入れられるようになっている。アルカリイオン水生成媒体供給部２０には、第１回転治具２６に固定された第１板２５と、第２回転治具２８に固定された第２板２７が設けられている。第１板２５は、アルカリイオン水生成媒体２１Ａを保持する。第２板２７は、アルカリイオン水生成媒体２１Ｂ，２１Ｃ，２１Ｄを保持する。
【００５９】
アルカリイオン水生成媒体供給部２０は、タイマ２０Ｔに応じて自動的に、アルカリイオン水生成部１０へアルカリイオン水生成媒体２１Ａを供給する。このとき、第１回転治具２６が第１板２５を回転させ、第１板２５をアルカリイオン水生成媒体２１Ａが滑ることで（図５参照）、アルカリイオン水生成部１０へアルカリイオン水生成媒体２１Ａが供給される。アルカリイオン水生成媒体２１Ａのアルカリイオン水生成部１０への供給時、第２回転治具２８に固定された第２板２７がアルカリイオン水生成媒体２１Ｂ，２１Ｃ，２１Ｄを保持しているため、アルカリイオン水生成媒体２１Ｂ，２１Ｃ，２１Ｄは、アルカリイオン水生成部１０へ供給されない。これにより、アルカリイオン水生成部１０へアルカリイオン水生成媒体は一つずつ行われる。
【００６０】
タイマ２０Ｔは、６時間ごと、８時間ごとなど設定された時間に応じて、第１回転治具２６および第２回転治具２８に信号を出力し、それぞれを駆動させる。なお第２回転治具２８は、第１回転治具２６が駆動してから所定時間後、または、第１板２５をアルカリイオン水生成媒体２１Ａが滑り落ちたことを検知した信号を受信後に駆動するようにしてもよい。
【００６１】
また、アルカリイオン水貯留部のアルカリイオン水の貯留量を検知する検知手段を設け、アルカリイオン水貯留部のアルカリイオン水の貯留量に応じて、アルカリイオン水生成部へアルカリイオン水生成媒体を供給するようにしてもよい。
【００６２】
＜実施形態の構成及び効果＞
本発明に係る洗浄システムは、アルカリイオン水生成部と、アルカリイオン水生成部へアルカリイオン水生成媒体を供給するアルカリイオン水生成媒体供給部と、アルカリイオン水生成部で生成されたアルカリイオン水を貯留するアルカリイオン水貯留部と、洗浄対象を洗浄する洗浄槽とを備える。
【００６３】
このような構成を有することから、アルカリイオン水貯留部から洗浄槽に必要な量のアルカリイオン水を供給することができる。
【００６４】
また、好適には、アルカリイオン水貯留部から前記洗浄槽を繋ぐ配管に調整弁を備え、調整弁が、洗浄槽へ直接給水される給水量と、アルカリイオン水貯留部から前記洗浄槽へ給水されるアルカリイオン水給水量の比を調整する。
【００６５】
このような構成を有することから、洗浄槽において、衣服などの洗浄対象に適した水素イオン濃度で洗浄することができる。
【００６６】
また、好適には、調整弁が、洗浄槽へ直接給水される給水量と、アルカリイオン水貯留部から洗浄槽へ給水されるアルカリイオン水給水量の比を５対１になるように調整する。
【００６７】
このような構成を有することから、洗浄槽において、衣服などに最適な水素イオン濃度で、洗剤を使用せずに洗浄することができる。
【００６８】
また、好適には、アルカリイオン水生成媒体供給部は、タイマを有し、タイマに応じて自動的に、アルカリイオン水生成部へアルカリイオン水生成媒体を供給する。
【００６９】
このような構成を有することから、アルカリイオン水生成部でアルカリイオン水を自動的に生成し、アルカリイオン水貯留部にアルカリイオン水を貯留することができる。
【００７０】
また、好適には、アルカリイオン水生成媒体供給部は、アルカリイオン水貯留部のアルカリイオン水の貯留量に応じて、アルカリイオン水生成部へアルカリイオン水生成媒体を供給する。
【００７１】
このような構成を有することから、アルカリイオン水貯留部での必要量に対して、自動的にアルカリイオン水生成部でアルカリイオン水を生成することができる。
【００７２】
また、好適には、洗浄槽を複数台含み、複数の洗浄槽の数よりも少ない台数のアルカリイオン水生成部を備える。
【００７３】
このような構成を有することから、コインランドリーのように洗浄槽が複数台配置される場合にも、適正な水素イオン濃度で洗浄することができる。
【符号の説明】
【００７４】
１，２，３  洗浄システム
１０，１１，１２  アルカリイオン水生成部
２０，２３，２４  アルカリイオン水生成媒体供給部
２０Ｔ  タイマ
２１，２１Ａ，２１Ｂ，２１Ｃ，２１Ｄ  アルカリイオン水生成媒体
２５  第１板
２６  第１回転治具
２７  第２板
２８  第２回転治具
３０，３１，３２  アルカリイオン水貯留部
４０  調整弁
４１  調整弁
５０  第１配管
５１  第２配管
５２  第３配管
５３  第４配管
５４  第５配管
５５  第６配管
１００  洗浄槽
１１０，１２０，１３０，１４０  洗浄槽
１１１，１２１，１３１，１４１  調整弁
１１２，１２２，１３２，１４２  調整弁
２００  ドラム槽
【図１】
2015181765.tif 000003
【図２】
2015181765.tif 000004
【図３】
2015181765.tif 000005
【図４】
2015181765.tif 000006
【図５】
2015181765.tif 000007
【図６】
2015181765.tif 000008
【図７】
2015181765.tif 000009
【図８】
2015181765.tif 000010
【図９】
2015181765.tif 000011
【図１０】
2015181765.tif 000012
【図１１】
2015181765.tif 000013
【手続補正書】
【提出日】平成27年6月19日(2015.6.19)
【手続補正１】
【補正対象書類名】特許請求の範囲
【補正対象項目名】全文
【補正方法】変更
【補正の内容】
【特許請求の範囲】
【請求項１】
アルカリイオン水のみを生成するアルカリイオン水生成部と、
前記アルカリイオン水生成部へアルカリイオン水のみを生成するアルカリイオン水生成媒体を供給するアルカリイオン水生成媒体供給部と、
前記アルカリイオン水生成部で生成されたアルカリイオン水を貯留するアルカリイオン水貯留部と、
洗浄対象を洗浄する洗浄槽と、を
備える洗浄システム。
【請求項２】
前記アルカリイオン水貯留部から前記洗浄槽を繋ぐ配管に調整弁を備え、
前記調整弁は、前記洗浄槽へ直接給水される給水量と、前記アルカリイオン水貯留部から前記洗浄槽へ給水されるアルカリイオン水給水量の比を調整する
請求項１記載の洗浄システム。
【請求項３】
前記調整弁は、前記洗浄槽へ直接給水される給水量と、前記アルカリイオン水貯留部から前記洗浄槽へ給水されるアルカリイオン水給水量の比を５対１になるように調整する
請求項２記載の洗浄システム。
【請求項４】
前記アルカリイオン水生成媒体供給部は、タイマを有し、前記タイマに応じて自動的に、前記アルカリイオン水生成部へアルカリイオン水生成媒体を供給する
請求項１〜３のいずれか１項に記載の洗浄システム。
【請求項５】
前記アルカリイオン水生成媒体供給部は、前記アルカリイオン水貯留部のアルカリイオン水の貯留量に応じて、前記アルカリイオン水生成部へアルカリイオン水生成媒体を供給する請求項１記載の洗浄システム。
【請求項６】
前記洗浄槽を複数台含み、複数の前記洗浄槽の数よりも少ない台数のアルカリイオン水生成部を備える
請求項１〜５のいずれか１項に記載の洗浄システム。
【手続補正２】
【補正対象書類名】明細書
【補正対象項目名】０００７
【補正方法】変更
【補正の内容】
【０００７】
本発明に係る洗浄システムは、アルカリイオン水のみを生成するアルカリイオン水生成部と、アルカリイオン水生成部へアルカリイオン水のみを生成するアルカリイオン水生成媒体を供給するアルカリイオン水生成媒体供給部と、アルカリイオン水生成部で生成されたアルカリイオン水を貯留するアルカリイオン水貯留部と、洗浄対象を洗浄する洗浄槽とを備える。
【手続補正３】
【補正対象書類名】明細書
【補正対象項目名】００１１
【補正方法】変更
【補正の内容】
【００１１】
また、取付位置変更手段によって支持アームの作業機への取付位置、並びに支持アーム自身の角度の調整が可能になる。
【手続補正４】
【補正対象書類名】明細書
【補正対象項目名】００１２
【補正方法】変更
【補正の内容】
【００１２】
請求項２に記載の発明は、請求項１に記載のカプラ支持装置であって、前記カプラ取付固定部は、前記支持アームの先端側に揺動可能に設けられていることを特徴とする。揺動可能とは、主に作業機の幅方向の水平軸の回りに揺動できることを言う。この場合、カプラ取付固定部が揺動可能であることで、作業者の姿勢、身長等に応じて操作し易い角度に自由に設定することが可能である。
【手続補正５】
【補正対象書類名】明細書
【補正対象項目名】００１３
【補正方法】変更
【補正の内容】
【００１３】
請求項３に記載の発明は、また特徴の一つは、請求項１又は請求項２のいずれかに記載のカプラ支持装置を備えた作業機である。